(57)【要約】  電子コンピュータ（２）と、電力供給手段（３）と、不揮発性メモリ（４）及び揮発性メモリと、前記コンピュータ（２）に動作可能に接続される制御手段（５）と、前記コンピュータ（２）に動作可能に接続されるディスプレイ（６）とを備え、電子コンピュータ（２）が電子手段を備え、前記電子手段が、最初のセッティング後に変更することができないセットされた日付を前記不揮発性メモリ（４）に記憶するために、機械型言語により規定されるプログラムを備え、電子コンピュータ（２）が、セットされた日付と現在の日付との間の経過時間を計算するための手段を更に備えるクロノグラフ（１）が提供される。【選択図】  図１
2020506374.tif 000002
【特許請求の範囲】
【請求項１】
−電子コンピュータ（２）と、
−電力供給手段（３）と、
−不揮発性メモリ（４）及び揮発性メモリと、
−前記コンピュータ（２）に動作可能に接続される制御手段（５）と、
−前記コンピュータ（２）に動作可能に接続されるディスプレイ（６）と、
を備えるクロノグラフ（１）であって、
−前記コンピュータ（２）が電子手段を備え、前記電子手段は、最初のセッティング後に変更することができないセットされた日付を前記不揮発性メモリ（４）に記憶するために、機械型言語により規定されるプログラムを備え、
−前記コンピュータ（２）は、前記セットされた日付と現在の日付との間の経過時間を計算するための手段を備えることを特徴とするクロノグラフ（１）。
【請求項２】
前記コンピュータ（２）及び前記不揮発性メモリ（４）が単一の構成要素に組み込まれる請求項１に記載のクロノグラフ（１）。
【請求項３】
前記コンピュータ（２）及び前記不揮発性メモリ（４）が前記機能に専用のものである請求項１に記載のクロノグラフ（１）。
【請求項４】
前記不揮発性メモリ（４）がＥＰＲＯＭ型メモリである請求項１に記載のクロノグラフ（１）。
【請求項５】
前記コンピュータ（２）がプロセッサ（２０）とマザーボード（２１）とを備える請求項１に記載のクロノグラフ（１）。
【請求項６】
請求項１から５のいずれか一項に記載のクロノグラフ（１）により実施される方法であって、
−前記コンピュータ（２）が前記制御手段（５）によって起動される第１のステップと、
−前記コンピュータ（２）が前記不揮発性メモリ（４）内に備えられる前記プログラムを実行する第２のステップと、
−ユーザが前記セットされた日付を規定するとともに、前記プロセッサ（２０）が前記セットされた日付を前記不揮発性記憶装置（４）に記録する第３のステップと、
−前記コンピュータ（２）が前記セットされた日付と現在の日付との間の経過時間を計算する第４のステップと、
を含む方法において、
−前記第１、第２、第４、及び、第５のステップが繰り返し可能なルーチンを規定し、
−前記第３のステップを１回だけ行なうことができる、
ことを特徴とする方法。
【請求項７】
前記経過時間が前記ディスプレイ（６）に表示される第５のステップを含む請求項６に記載の方法。
【発明の詳細な説明】
【技術分野】
【０００１】
本発明は、請求項１の前文に列挙されるタイプのクロノグラフに関する。
【背景技術】
【０００２】
従来技術では、クロノグラフが知られている。一般的な用法において、クロノグラフという用語は、経時的に、次第に精密及び精度を志向する意味を獲得してきた。一般に、実際には、ユーザによりコマンドで規定される時間部分を記録できる医療、軍事、又は、スポーツで使用するためのクロノメーターがクロノグラフと見なされる。
【０００３】
しかしながら、クロノグラフという用語は、総称的に、その使用に応じて精度をもって測定される時間を記録できる能力を指す。
【０００４】
歴史上で作られた最初のクロノグラフは、Louis Moinetにより１８１５年〜１８１６年に発明され、「compteur de tierces」として知られている。
【０００５】
このクロノグラフは、１秒で１回転を完了するのに適した中央ハンドがボタンにより始動され、停止され、及び、ゼロに合わされ得る天体観測の機器であった。
【０００６】
また、分、時間、日に関する他のカウンタも存在する。
【０００７】
近代のクロノグラフは、Moinetの装置と異なる装置ではなく、実際に、基本原理はそのままであるが、技術及び洞さの観点から改善がみられる。
【０００８】
近代のクロノグラフは、殆どが腕時計に組み込まれているが、実際には、改良された内部機構を備える場合があり、或いは、それらを完全に欠く場合があり、また、全体として異なる動作機構を有する場合がある。
【０００９】
コンピュータ又はスマートフォン或いは他の物などの電子機器は、それらのソフトウェア内に、旧型のクロノグラフの機能をシミュレートするのに適した１つ以上のプログラムを組み込むことができる。
【００１０】
一般的に言えば、クロノグラフは、停止及びゼロ合わせが自在に、時間の限られた部分を記録できるようにする任意の装置として規定される。
【００１１】
前述の従来技術はいくつかの著しい欠点を有する。
【００１２】
特に、クロノグラフは、使用時、前記クロノグラフの電力供給に応じて時間の一部を記録できるようにする。
【００１３】
例えば、バッテリ切れの腕時計又はバッテリ切れのスマートフォンは、時間を装置内に記録できるようにしない。
【００１４】
したがって、著しい欠点は、一定の電力供給がないと、簡単でなければ、例えば１０年間に関して、記録され得る時間が制限されるという点である。
【発明の概要】
【発明が解決しようとする課題】
【００１５】
この状況において、本発明の技術的な目的は、前述の欠点の少なくとも一部を実質的に克服できるクロノグラフを考え出すことである。
【００１６】
前記技術目的の範囲内で、本発明の１つの重要な狙いは、その電力供給にかかわらずかなりの範囲の時間を記録できるクロノグラフを得ることである。
【課題を解決するための手段】
【００１７】
技術目的及び特定の狙いは、添付の請求項１に記載されるクロノグラフによって達成される。好ましい実施形態の例が従属請求項に記載される。
【００１８】
本発明の特徴及び利点は、添付図面に関連する本発明の好ましい実施形態の以下の詳細な説明から明確に分かる。
【図面の簡単な説明】
【００１９】
【図１】本発明に係るクロノグラフの図を示す。
【発明を実施するための形態】
【００２０】
ここで、大きさ、値、形状、及び、幾何学的基準（垂直及び平行など）は、「約」のような単語或いは「おおよそ」又は「実質的」などの他の同様の用語と共に使用される場合、生産及び／又は製造の誤差に起因する測定誤差又は不正確さを除くものとして、とりわけ、それが関連付けられる値、大きさ、形状、又は、幾何学的基準からの僅かな逸脱を除くものとして理解されるべきである。例えば、前記用語は、値と関連付けられる場合、好ましくは、前記値の１０％以下の逸脱を示す。
【００２１】
加えて、「第１」、「第２」、「上側」、「下側」、「主」及び「副」などの用語が使用される場合、それらの用語は、必ずしも順番、優先関係、又は、相対的な位置を指すものではなく、異なる構成要素を互いからより明確に区別するために単に使用され得る。
【００２２】
図面を参照すると、参照数字１は、本発明に係るクロノグラフを全体的に示す。
【００２３】
クロノグラフ１はケーシング１０を備える。特に、ケーシング１０は、例えば、内側容積１１を画定する実質的に中空の容器であってもよい。
【００２４】
加えて、ケーシングは、任意の物体、すなわち、フレーム内、装飾、身体用の装飾品、又は、更なる他の類の物体の内側の中空部によって画定されてもよい。クロノグラフ１自体が例えばその中に時計を備えてもよい。
【００２５】
クロノグラフ１は、好ましくは、適切に容積１１の内側に、コンピュータ２、電力供給手段３、不揮発性メモリ４、及び、揮発性メモリを備える。
【００２６】
コンピュータ２は、好ましくは、コンピューターサイエンスで知られるタイプのコンピュータであり、したがって、例えばプロセッサ２０とマザーボード２１とから構成される。プロセッサ２０は、好ましくは、例えば内側容積１１などの小さい延在部を有する容積内に組み込まれるのに適したマイクロプロセッサである。マザーボード２１は、代わりに、プリント電気回路を備える既知のタイプのマザーボードであることが好ましい。
【００２７】
電力供給手段３は、好ましくは、この場合も既知のタイプの１つ以上のバッテリから構成される。加えて、電力供給手段３は、コンピュータ２の動作のために必要とされるエネルギーを供給するのに適しており、したがって、コンピュータに動作可能に接続される。
【００２８】
好ましくは、電力供給手段３はリチウムバッテリを備える。
【００２９】
不揮発性メモリ４は、好ましくは、データを内側に恒久的に記録できる媒体から成る。
【００３０】
不揮発性メモリ４に加えて、装置１は、好ましくは、揮発性メモリも備える。
【００３１】
好ましくは、不揮発性メモリ４は、以下で詳しく説明されるように、機械型言語と所定の日付とによって規定される少なくとも１つのプログラムをそれに記録するのに十分である。
【００３２】
日付という用語は、月の日、月及び年も完備した、同様に好ましくは、規定された日の時間及び分における特定の時刻も完備した、少なくとも１つの特定の日を意味するように理解される。
【００３３】
機械型言語は、ハードウェア処理を促進させるのに適したプロセッサ２０に簡単なコマンドが与えられる最低レベルのコンピュータ言語として規定される。
【００３４】
加えて、物理記憶装置の不揮発性メモリ４は、更に少なくとも１つのセットされた日付を記録するのに適している。
【００３５】
したがって、機械言語により規定されるプログラムは、不揮発性メモリ４にセットされた日付に対して経過した時間を計算するのに適していることが好ましい。
【００３６】
また、セットされた日付は、編集不可能である或いは不揮発性メモリ４に不可逆的態様で恒久的に記録される。
【００３７】
不揮発性メモリ４は好ましくはＥＥＰＲＯＭ型メモリである。
【００３８】
コンピュータ２、特にプロセッサ２０及び不揮発性メモリ４は、一体化可能であり、したがって、単一部品を成し得る。例えば、それらは、ATtiny441モデルとしてＡＴＭＥＬにより市販される装置によって構成され得る。
【００３９】
電子コンピュータ２及び不揮発性メモリ４は、専ら前記機能に専用のものである。したがって、それらは、好ましくは、他の機能も実行する更に複雑な装置に組み込まれない。
【００４０】
クロノグラフ１は、制御手段５及びディスプレイ６を更に備える。
【００４１】
制御手段５は、好ましくは、コンピュータ２の動作を制御するのに適した手段であり、したがって、コンピュータに動作可能に接続される。
【００４２】
しかしながら、制御手段５は外部環境とも通信することが好ましい。
【００４３】
したがって、その結果、ハウジング１０は、内側容積１１とクロノグラフ１の外側との間で通信する制御手段５を含む接続要素を収容するのに適した開口１２を有してもよい。
【００４４】
好ましくは、制御手段５は、コンピュータ２を起動させるのに適した、したがって外部からアクセスできるボタン又はスイッチから構成される。
【００４５】
ディスプレイ６は、代わりに、クロノグラフの動作に関する情報をユーザに与えるのに適したグラフィックディスプレイであることが好ましい。
【００４６】
そのようなディスプレイはアナログ及びデジタルの両方であってもよい。
【００４７】
好ましくは、ディスプレイはＬＣＤ、ＯＬＥＤタイプである。
【００４８】
加えて、ディスプレイ６は、制御手段５と一体化されてもよい。例えば、ディスプレイ６は、タッチスクリーンタイプのディスプレイであってもよく、スクリーンから直接にコンピュータ２の起動を可能にしてもよい。
【００４９】
また、ディスプレイ６は、開口１２と対応付けて配置されることが好ましい。
【００５０】
したがって、存在する場合には、開口１２が前述の制御手段５によって及び／又はディスプレイ６によって塞がれることが好ましい。
【００５１】
そのため、外側から内側容積１１にアクセスできないことが好ましい。
【００５２】
内側容積１１内の要素にアクセスできないことを手作業で変更できない。
【００５３】
前述したクロノグラフ１の構造関連の機能性は以下の通りである。
【００５４】
ユーザは、コンピュータ２をＯＮにするために制御手段５を手動で起動できる。
【００５５】
特に、プロセッサ２０を起動させる電気インパルスがマザーボード２１に送られる。
【００５６】
プロセッサ２０は、不揮発性メモリ４内に保存される機械言語により規定されるプログラムを呼び出す。
【００５７】
プログラムは、特に、好ましくはその後に決して変更され得ないユーザによりセットされて規定された日付を１回だけ保存できるようにする。
【００５８】
電力供給手段３が切れてクロノグラフ１に給電しない場合であっても、セットされた日付は、保存されたままであって読み出すことができるが、コンピュータ２が再起動される場合にユーザにより編集することができない。
【００５９】
加えて、プログラムは、コンピュータ２がベンチマーク日付を揮発性メモリに保存できるようにする。
【００６０】
全セッティング中において、情報をユーザがディスプレイ６の上側で見ることができる。
【００６１】
本発明は、第１のステップ、第２のステップ、第３のステップ、第４のステップ、及び、第５のステップを含む新規なプロセスを備える。
【００６２】
第１のステップでは、コンピュータ２が好ましくは制御手段５によって起動される。
【００６３】
第２のステップにおいて、コンピュータ２は、好ましくは、物理記憶装置の不揮発性メモリ４内に備えられるプログラムを実行する。
【００６４】
第３のステップでは、ユーザが好ましくはセットされる日付を規定し、また、コンピュータ２がセットされた日付を物理記憶装置４に記録する。
【００６５】
第４のステップでは、ユーザが好ましくはベンチマーク日付を規定し、コンピュータ２がベンチマークデータを揮発性メモリに記録し、また、コンピュータ２がベンチマーク日付とセットされた日付との間の経過時間を計算する。
【００６６】
第５のステップでは、経過時間が好ましくはディスプレイ６に表示される。
【００６７】
加えて、第１、第２、第４、及び、第５のステップが繰り返し可能なルーチンを規定する。
【００６８】
つまり、ルーチンは、コンピュータ２をＯＮにするべく、例えば自発的な又は自発的でない作動停止（例えばバッテリが切れた場合）の結果として、２回以上起動され得る。
【００６９】
代わりに、好ましくは、第３のステップを１回だけ実行することができる。
【００７０】
セットされた日付は、実際には、好ましくは、物理記憶装置４に恒久的に且つ不可逆的又は変更可能な態様で記録される。
【００７１】
本発明は新規な用途を含む。
【００７２】
特に、実際に、クロノグラフ１は単一の日付を記憶するために使用される。
【００７３】
本発明に係るクロノグラフ１は重要な利点を達成する。
【００７４】
実際に、クロノグラフ１は、電力供給手段３にかかわらず少なくとも１つの時間帯を記録できるようにする。バッテリ切れの場合でさえ、不揮発性メモリに記録されたセットされた日付を回復させて使用し、経過時間を計算することができる。
【００７５】
更なる利点は、時間データが失われ又は削除されることなく、クロノグラフ１が非常に長い時間帯、例えば、数年又は数十年を記録できるという点である。
【００７６】
最後に、更なる利点は、クロノグラフ１を使用して特に関連する日付、例えば、誕生日又は結婚式或いは別の事などの重要なイベントに関連する日付を記憶でき、したがって、クロノグラフ１を記念品として使用できるという点である。
【００７７】
加えて、不揮発性メモリ４がプロセッサ２０と一体であれば、クロノグラフを開放したとしても、プロセッサを損傷させることなく単一の不揮発性メモリ４の機械的な除去を行なうことができなければ、不揮発性メモリ、したがってセットされた日付を決して変更することができない。
【００７８】
特許請求の範囲に規定される発明概念の範囲から逸脱することなく、本明細書中に記載された発明に対して変形を成すことができる。
【００７９】
例えば、クロノグラフ１をリング又はブレスレッド或いは別の物などの記念品に組み込むことができ、或いは、クロノグラフ自体が前述の時計などの他の装置を内部に組み込んでもよい。
【００８０】
或いは、フィルムクリップ又はフォトをディスプレイ上で見られるように、外側からアクセスできる付加的なメモリカードを加えることができる。
【００８１】
前記範囲内で、全ての細部が等価な要素と置き換えられてもよく、また、材料、形状、及び、寸法が要望通りになっていてもよい。
【図１】
2020506374.tif 000003
【国際調査報告】
2020506374.tif 000004
2020506374.tif 000005